【事件の表示】
　平成　２年特許願第４０９９９１号「パチンコ機」拒絶査定に対する審判事件［平成　４年　７月３１日出願公開、特開平　４−２１００８２］について、次のとおり審決する。
【結　論】
　本件審判の請求は、成り立たない。
【理　由】
１．手続の経緯及び本願発明
　本願は、平成２年１２月１０日の出願であって、その特許請求の範囲の請求項１及び２に記載された発明は、平成１１年４月２６日付、平成１１年１０月５日付、平成１４年１０月３日付及び平成１４年１１月１５日付の手続補正書により補正された明細書及び図面の記載からみて、その特許請求の範囲の請求項１及び２に記載された「パチンコ機」にあると認められるところ、その請求項１に記載された発明（以下、「本願発明」という。）は次のとおりのものである。
　「パチンコ機の諸機能をコントロールするコントロールユニットと、当りを表示する当り表示灯とを有するパチンコ機において、前記コントロールユニットから出力された当り情報を受ける一の入力端子と、前記当り情報を前記当り表示灯に出力する表示灯接続端子と、前記当り情報を出力する外部出力端子と、前記入力端子と前記表示灯接続端子とを接続する第１信号線と、前記第１信号線より分岐され前記入力端子と前記外部出力端子とを接続する第２信号線とを備えた外部端子基板と、前記コントロールユニットと前記入力端子とを接続する第３信号線と、遊技盤内で前記第３信号線より分岐させた第４信号線とを有するパチンコ機。」
　　　　
２．引用例に記載の発明　
　当審は、平成１４年８月５日付の拒絶理由で、本願の特許請求の範囲の請求項１及び２に記載の発明は、下記の第１乃至５引用例に記載された発明に基づいて当業者が容易に発明をすることができたものであるから、特許法第２９条第２項の規定により特許を受けることができない旨通知した。
　第１引用例．特開昭６４−５５８０号公報
　第２引用例．特開昭６３−１６８１９４号公報
　第３引用例．特開昭６３−２８３６７０号公報
　第４引用例．実願昭６２−７８４０４号（実開昭６３−１８６４７８号）
　　　　　　　のマイクロフィルム  
　第５引用例．特開平２−４５０７７号公報
　　　　　　　　　
　（１）第１引用例〔特開昭６４−５５８０号公報〕に記載の発明
　i．第１引用例には、以下の事項が記載されている。
　「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記各制御回路間を中継線及びコネクタを介して電気的に連絡したことを特徴とするパチンコ機。」（第１頁左下欄第５〜１２行）、
　「本発明の目的は、上記欠点を解消して、裏面に取付けられる各部品や装置の邪魔とならず、各制御回路を各装置の最適な位置に配置することができ、無駄なスペースを取らず、制御素子が故障しても制御基板全体を修理する必要がなく、制御基板の交換や修理も容易に行なえ、電気的干渉による誤動作や故障を防止することが可能なパチンコ機を提供することにある。」（第１頁右下欄第１７行〜第２頁左上欄第４行）、
　「パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、ケース基板２４の上方には打止め装置と表示装置の制御回路に連絡する端子板２５が設けられ、ケース基板２４の下方には防犯装置の制御回路を有する防犯基板２６が設けられ、防犯基板２６の側部には発射装置の制御回路を有するモーター基板２７が設けられ、これらの制御回路間が中継線及びコネクタを介して電気的に連絡されている。」（第３頁左上欄第１５行〜右上欄第６行）、
　「そして、端子板２５にはセーフ球の発生により遊技者に排出された賞品球が一定数以上になった場合にパチンコ遊技不能とする打止め装置（図示せず）の制御回路と、賞品球が不足した場合に球切れ表示灯Ｌ１を点灯し、不正が発生した場合に不正表示灯Ｌ２を点灯し、セーフ球の発生に対応して賞球払出表示灯Ｌ３を点灯し、遊技中に遊技中表示灯Ｌ４を点灯し、排出した賞品球が一定数以上になると打止め表示灯Ｌ５を点灯し、遊技盤５の特定の位置にセーフ球が入賞するとＧＯフリッカー表示灯Ｌ６を点灯し、７個の賞品球が排出されると７個切りケース作動表示灯Ｌ７を点灯する表示装置の制御回路とが設けられている。」（第３頁右下欄第６〜１８行）、
　「第３図は本発明の第１実施例の電気回路図を示し、２３は電役基板、２４はケース基板、２５Ａは第１端子板、２５Ｂは第２端子板、２６は防犯基板、２７はモーター基板である。」（第４頁左上欄第１０〜１３行）、
　「第１端子板２５ＡのコネクタＡ１０には球切れスイッチＳＷ９が２本のコードＣＤにより接続され、第１端子板２５ＡのコネクタＡ１１が２本のコードＣＤにより外部の球切れ信号出力に連絡されている。」（第４頁左下欄第２〜６行）、
　「第２端子板２５ＢのコネクタＧ２にはＧＯフリッカー表示灯Ｌ６が２本のコードＣＤにより接続され、第２端子板２５ＢのコネクタＧ３が２本のコードＣＤにより外部の大当り信号出力に連絡されている。」（第４頁右下欄第５〜９行）、
　「遊技盤５に設けた特定の入賞装置に遊技球が入賞すると、電役基板２３のコネクタＢ４から第２端子板２５ＢのコネクタＧ１を介して第２端子板２５ＢのコネクタＧ２より表示信号が出力され、ＧＯフリッカー表示灯Ｌ６を点灯して遊技中の特定の入賞状態を表示し、第２端子板２５ＢのコネクタＧ３より外部へ大当り信号を出力する。」（第５頁右下欄第１９行〜第６頁左上欄第５行）、
　「第４図は本発明の第２実施例を示すものであり、パチンコ遊技機１の裏面には賞球タンク２０の側部に第１端子板４０が設けられ、タンクレール２１の下部には第２端子板４１が設けられ」（第７頁左上欄第６〜９行）、
　「制御基板４４のコネクタＫ２と中継基板４５のコネクタＱ１が２本のコードＣＤにより接続され、中継基板４５のコネクタＱ２と第２端子板４１のコネクタＴ１及びコネクタＴ２が２本のコードＣＤにより接続され、第２端子板４１のコネクタＴ２には特定状態表示灯Ｌ１０Ａ，Ｌ１０Ｂが２本のコードＣＤにより接続されている。」（第７頁左下欄第８〜１４行）、
　「賞品球の払出し時には第１端子板４０のコネクタＩ５より入賞球払出しの表示信号が出て、賞品球払出表示灯Ｌ１３が点灯し、タンクレール２１の賞品球が不足すると、第１端子板４０に設けた賞品球切れ検出スイッチＳＷ１５がＯＮとなり、第１端子板４０のコネクタＩ５より賞品球切れ表示信号が出て、補給信号の出力が行なわれ、賞品球切れ表示灯Ｌ１２が点灯する。また、賞品球切れ出力は第１端子板４０のコネクタＩ３より外部に出力される。遊技盤５に設けた特定の入賞装置に遊技球が入賞すると、制御基板４４のコネクタＫ２，中継基板４５のコネクタＱ１，Ｑ２を経て第２端子板４１のコネクタＴ２より表示信号を出力し、特定状態表示灯Ｌ１０Ａ，Ｌ１０Ｂを点灯し、遊技中の特定状態を表示し、中継基板４１のコネクタＴ１より外部に特定状態信号を出力する。」（第８頁右上欄第４〜２０行）、
　「本発明のパチンコ機によれば、・・・各制御基板が裏面に取付けられる各部品や装置の邪魔とならず、各制御基板を各装置の最適な位置に配置することができ、無駄なスペースを取らず、制御素子が故障しても制御基板全体を修理する必要がなく、制御基板の交換や修理も容易に行なうことができ、電気的干渉による誤動作や故障を防止することができる。」（同第９頁右上欄第７〜２０行）。
　ii．第１引用例における前記摘示の記載及び図面第１図乃至第５図によれば、第１引用例には、以下の発明（以下、「引用発明」という。）が記載されているものと認められる。
　「パチンコ機の入賞装置等の制御回路を有する電役基板２３と、大当りを表示するＧＯフリッカー表示灯Ｌ６とを有するパチンコ機において、前記電役基板２３から出力された大当り信号を受けるコネクタＧ１と、前記大当り信号を前記ＧＯフリッカー表示灯Ｌ６に出力するコネクタＧ２と、前記大当り信号を外部に出力するコネクタＧ３と、前記コネクタＧ１と前記コネクタＧ２とを接続する第１信号線と、前記第１信号線より分岐され前記コネクタＧ１と前記コネクタＧ３とを接続する第２信号線とを備えた第２端子板２５Ｂと、前記電役基板２３と前記コネクタＧ１とを接続する第３信号線とを有するパチンコ機。」
　　　　
　（２）第５引用例〔特開平２−４５０７７号公報〕に記載の発明
　i．第５引用例には、以下の事項が記載されている。
　「次に、パチンコ遊技機１０の配線を、主として第４図に基づいて説明する。・・・図中、７は遊技盤用の接続端子板Ａであり、遊技盤に設けられている。この接続端子板Ａ７には、後述するように、始動入賞玉検出器等の種々の検出器や可変入賞球装置駆動用のソレノイド等の遊技盤に設けられている種々の装置が接続されている。さらにこの接続端子板Ａ７は、制御基板ボックス７１に接続されるとともに、外部出力端子７ａを介して外部装置２（第１図参照）に接続されている。」（第４頁右下欄第１７行〜第５頁左上欄第１４行）、
　「なお、外部装置１に出力する検出情報は、・・・大当り情報や開閉板開成情報等のように検出情報以外の情報も出力できるようにしてもよい。」（第６頁左上欄第１４行〜右上欄第１行）。
　ii．第５引用例における前記摘示の記載及び図面第１図乃至第７図によれば、第５引用例には、以下の発明が記載されているものと認められる。
　「制御基板ボックス７１から出力された大当たり情報を受ける入力端子と、前記大当たり情報を外部装置２に出力する外部出力端子７ａとを備えた接続端子板Ａ７を遊技盤に設けるパチンコ機。」
　　　
３．本願発明と引用発明との対比検討
　（１）本願発明と引用発明との対比
　本願発明と引用発明とを対比すると、両者はいずれもパチンコ機であって、引用発明における、「入賞装置等の制御回路を有する電役基板２３」、「ＧＯフリッカー表示灯Ｌ６」、「大当たり信号」、「コネクタＧ１」、「コネクタＧ２」、「コネクタＧ３」は、それぞれ、本願発明における、「コントロールユニット」、「当り表示灯」、「当たり情報」、「入力端子」、「表示灯接続端子」、「外部出力端子」に相当する。
　また、引用発明における「第２端子板２５Ｂ」は、「第１端子板２５Ａ」と組になって「端子板２５」としてパチンコ機の裏面の右上部に取り付けられているところからみて、本願発明における「外部端子基板」に相当する。
　そうすると、本願発明と引用発明とは、以下の点でそれぞれ、一致ならびに相違するものと認められる。
　一致点．パチンコ機の諸機能をコントロールするコントロールユニットと、当りを表示する当り表示灯とを有するパチンコ機において、前記コントロールユニットから出力された当り情報を受ける一の入力端子と、前記当り情報を前記当り表示灯に出力する表示灯接続端子と、前記当り情報を出力する外部出力端子と、前記入力端子と前記表示灯接続端子とを接続する第１信号線と、前記第１信号線より分岐され前記入力端子と前記外部出力端子とを接続する第２信号線とを備えた外部端子基板と、前記コントロールユニットと前記入力端子とを接続する第３信号線とを有するパチンコ機。
　相違点．本願発明は、遊技盤内で第３信号線より分岐させた第４信号線を有する構成であるのに対して、引用発明は、前記構成を有していない点。
　　
　（２）相違点の検討
　i．ところで、一般的に当たり情報等は、外部のホールコンピュータやパチンコ機の表示装置、さらにはパチンコ機における関連する他の制御回路等の各種装置に出力すべき情報であることは技術常識であるから、当たり情報を出力する信号線の経路の適宜な箇所に前記の如き所要の各種装置に信号出力を分岐させる信号線を設けることは、当業者が必要に応じて任意になし得るものというべきである。
　ii．この点について、第１引用例には、前記２．（１）ii．にて認定した引用発明の他に、特定状態信号を外部及び特定状態表示灯に出力するために分岐させた信号線を備えた第２端子板４１を、パチンコ機の裏面側の中央部の略矩形の２重枠線の内側に位置する部材に配設する実施例が図面第３，４図とともに開示されているところ、パチンコ機の技術分野において、遊技盤の裏面側に配設した各種部材や制御回路が機構板を介して露出するように、パチンコ機本体を構成する各種部材や制御回路を配設する機構板に開口窓を開設したパチンコ機が周知の形態であることからすると、前記第２端子板４１は遊技盤に設けられているものと推認される。
　また、第５引用例には、前記２．（２）ii．にて認定したように、大当たり情報を外部に出力する接続端子板Ａ７を遊技盤に設けるパチンコ機が開示されている。
　iii．そうすると、引用発明において、当たり情報を必要に応じて所要の装置に出力するための手段として、第１引用例又は第５引用例に示される如き、当たり情報を外部あるいは表示装置に出力するための信号線を備えた中継基板を遊技盤内に設ける技術を採用して、前記相違点にかかる本願発明のように構成することは、当業者が容易に想到できるものである。　　
　iv．そして、本願発明における作用効果は、第１引用例及び第５引用例に記載の発明に基づいて当業者が当然予測できるものと認められる。
　v．なお、請求人は、平成１４年１０月３日付の意見書において、本願発明は、外部端子基板に備えた第２信号線および遊技盤内に備えた第４信号線のいずれか一方をホールコンピュータに接続して当り情報にかかる信号線を選択可能に使用することや、第２信号線および第４信号線の双方から当り情報を受けて当り情報の正当性の判断に使用することができる旨主張するが、出願当初の明細書及び図面には、当たり情報を外部に出力するための信号線を備えた外部端子基板と、当たり情報を出力するための信号線を遊技盤内にて分岐させた構成とが開示されるにとどまり、請求人の主張に係る前記使用形態、及び、これにより確実に当たり情報を外部に出力できるとする構成については、何ら記載されておらず、また自明な事項でもない。
　　　　　
４．むすび
　以上のとおり、本願請求項１の発明は、第１引用例及び第５引用例に記載の発明に基づいて当業者が容易に発明をすることができたものと認められるので、特許法第２９条第２項の規定により特許を受けることができない。
　したがって、他の請求項に係る発明について検討するまでもなく、本願は拒絶すべきものである。
　よって、結論のとおり審決する。